(57)【要約】【課題】  透明な液体の入った透明な筒状透明容器の表面に装着した表示印刷のデザインの一部が、視点の移動に伴って動いて見えるようにする。【解決手段】  透明な液体の入った筒状透明容器に、直線又は曲線を並列したラインを印刷した表示シートを、前記容器に密着するように装着し、その対面する容器外部から、容器及び中の液体を透過してラインが見えるようにすると、各ラインは拡大され太くなり、且つ容器の左右周辺部のラインの一部が彎曲変形し、容器の前を左右に移動しながら見ると、ラインは彎曲変形しながら動くように見える。【選択図】  図２
2005266730.tif 000002
【特許請求の範囲】
【請求項１】
透明性のある液体を入れる、透明性のある筒状容器に表示をするために、紙叉はフィルムのシートを表示シートとし、前記容器外部から見て、容器及び容器内の液体を透過して見えるように装着する前記表示シート面に、直線叉は曲線を並列したデザイン（以下リピートラインと言う）を施したことを特徴とする表示シート。
【請求項２】
透明性のある液体を入れる、透明性のある筒状容器に表示をするために、帯状透明フィルムを表示シートとし、前記容器に装着し、容器外部から見える商品表示内容等を施した表面を表デザイン面とし、その一部に透明部分を備え、そこから容器及び容器内の液体を透過して見える対向面の表示シートの裏面である一部を裏デザイン面とし、そこに前記リピートラインを施したことを特徴とする帯状透明フィルムを使用した表示シート。
【発明の詳細な説明】
【技術分野】
【０００１】  本発明は、透明容器の表示印刷に関するものである。
【背景技術】
【０００２】  一般に商品として販売されている容器の表面には、直刷り、転写、或はラベル・フィルム等を装着した表示印刷がされていて、個性的なデザインによって、商品の内容を明示すると共に、そのイメージをアピールしている。【０００３】  透明な液体を入れた透明容器の、表示印刷されたものの中に、正面の一部を透明とし、そこから奥のもの、即ち容器の透明部分の対面部分を見る事が出来るようにし、そこに写真や絵が印刷されたものが有るが、それらは、写真や絵を見せるだけのものでしかない。
【発明の開示】
【発明が解決しようとする課題】
【０００４】  本発明は、陳列された商品の前を人が移動することにより、つまり視点の移動により、容器の表示印刷に施された直線又は曲線を並列したデザイン（以下リピートラインと言う）が、動くように見えるようにして、より商品をアピールすることを目的とする。
【課題を解決するための手段１】
【０００５】  前記背景技術の、一部透明部分から見える対面部分の写真や絵は、容器の前を歩いて横に移動する等視点が移動すると見える部分が変わり、視点移動と逆の移動現象をする。
また円筒形状の透明容器に透明な液体が入っている時は、容器の左右周辺部はレンズ作用により、彎曲現象が現れる。この移動現象と彎曲現象を効果的に応用して、課題とする表示印刷に施されたリピートラインが動くように見えるという現象を表現する。
【０００６】  透明性のある液体を入れる、透明性のある筒状容器に表示をするために、任意の縦寸法と容器の外周寸法の約半分を横寸法とした紙叉はフィルムのシートを表示シートとし、前記容器外部から見て、容器及び容器内の液体を透過して見えるように装着する前記表示シート面に、リピートラインを施す。
【課題を解決するための手段２】
【０００７】  透明性のある液体を入れる、透明性のある筒状容器に表示をするために、任意の縦寸法と容器の外周寸法を横寸法とした、帯状透明フィルムを表示シート（以下透明表示シートと言う）とし、横方向を、３層以上の積層印刷部分と、無積層印刷部分とに２分し、その積層印刷部分の第３層は、裏面から見るための裏デザイン面とし、第１層と第３層を明確に識別出来るよう、第１層と第３層の間に白色等の隠蔽度のあるベース色を印刷した第２層を設ける、第１層は全面が表デザイン面で容器外部から見える部分で、通常の商品表示内容を印刷するが、その表デザイン面の内、無積層印刷部分に、商品表示内容の内、商品名等メインデザインを施し余白を透明として、前記筒状透明容器の表面に装着した場合、容器外部から見て、第１層の無積層印刷部分、つまり前記メインデザインの余白の透明部分から容器内を透過して、対面する第３層の裏デザイン面が見える構成の透明表示シートに於いて、前記裏デザイン面に、リピートラインを施す。
【課題を解決するための手段３】
【０００８】  請求項２の、筒状透明容器の前記透明表示シート於いて、前記透明表示シートに施される積層印刷部分は、３層以上の印刷とするが、例えば、第１層及び第２層はフィルム表面に、第３層はフィルム裏面に、或は第１層はフィルム表面に、第２層及び第３層はフィルム裏面に印刷する等、フィルム表裏を使い分けて、或は、別の印刷層を加えてより良い表現をした印刷がなされた透明表示シートは、現在使用している既存の容器表示デザインを基本にして、本発明の主旨の裏デザイン面を追加して、表現豊かなラインの変化を加味出来、更に、同じ表デザインの、ベース色や、リピートラインを変更したバリエーションを作成出来る。
このリピートラインは、直径６０ｍｍ位の円筒形容器の場合、太さ０．５〜４ｍｍ位、間隔１〜６ｍｍ位の並列した直線或は曲線を基本とするが、任意の変形や太さや間隔に変化を加えたり、色の変化を与えることにより、デザインとして、豊かな表現を可能にする。
又、容器の形状として筒状透明容器としているが、楕円形状、円錐形状等も利用出来、更に出来るものなら、特殊な変形形状、例えば一部の花器に見られる断面が花形のもの等の容器にすると、また別の効果も現すことが出来る。
【発明の効果】
【０００９】  本発明は、ごく普通の印刷技術で、ホログラムとは異なる効果で、印刷されたデザインが動くように見えるいう常識を打破った現象を表現することが出来る。
この表示シートを、透明な液体の入った透明容器に装着すると、リピートラインが、透明容器と容器内に入れられた透明な液体によるレンズ作用により、一本一本のラインが拡大されて太く見え、且つ容器の左右周辺部のラインが彎曲変形して、商品として店頭に陳列された場合、横に移動しながら見る、つまり観察者の視点の移動に伴い動くように見え、陳列された、同類他商品と明確に識別できる、新規で個性的なＰＯＰ効果を見せ、存在をアピールする。
【発明を実施するため最良の形態】
【００１０】  本発明の表示シートを装着する筒状透明容器は、一般に丸瓶と言われている主要部が円筒形状のものがレンズ効果が最も良く、容器の左右周辺部に現れるリピートラインの変化する面積が広くなり、効果的に実現する。
【実施例１】
【００１１】  図１は、請求項１の実施形態で、直線のリピートラインの効果を表したもので、（Ａ）は細い直線のリピートラインを印刷した表示シート裏デザイン面で、（Ｂ）は（Ａ）を円筒形状の透明容器に貼付けた状態で、直線は太く拡大され、容器の左右周辺部は、彎曲変形して木目模様のようになり、左右に動きながら見ると、木目模様は左右で逆に上と下に動くように見える。
【実施例２】
【００１２】  図２は、請求項１の実施形態で、実施例１と異なる効果を現す円弧のリピートラインの例で、図２の（Ｃ）は細い円弧のリピートラインを印刷した表示シート裏デザイン面で、（Ｄ）は（Ｃ）を円筒形状の透明容器に貼付けた状態で、円弧は太く拡大され、容器の左右周辺部は、彎曲変形して同心円状になり、左右に動きながら見ると、同心円は波紋のように、左右で拡散と収縮の逆の現象を見せ、まるで動いているように見える。
【実施例３】
【００１３】  図３は、請求項２の実施例で、透明表示シートの積層構造の斜視図である。６−ｄはプリント用透明フィルムシートで、その表面に、６−ａの第１層、６−ｂの第２層、６−ｃの第３層と積層印刷をしたもので、図４の（Ｅ）は透明表示シートの表面であり、表デザイン面全面が見える。図４の（Ｆ）は透明表示シートの裏面であり、左半分に積層印刷部分の６−ｃの直線のリピートラインが見え、表からは見える表面の右半分である６−ａ２は６−ｂの第２層の白色等隠蔽色により隠されて見えない、６−ａ３は無積層印刷部分の裏面で、表面の６−ａ１が透けて逆になって見える。図５は、容器に装着する説明図であり、（Ｇ）は透明表示シート裏面で、表面は図５では省略したが、図４の（Ｅ）である。裏デザイン面の積層印刷部分に、図２と同じ円弧のリピートラインを施したものである。（Ｈ）は、印刷の施された透明表示シートを透明容器に装着した状態で、容器外部から見ると、表面メインデザインの文字等の余白透明部分から、容器内を透過して、裏デザイン面に施されたリピートラインが見え、実施例２の表示シートと同じ効果を見せる。
尚この実施形態は、使用する透明容器として、ペットボトルに於いては、シュリンクフィルムを使用するのが望ましい。
【図面の簡単な説明】
【００１４】
【図１】（Ａ）は表示シートに、直線のリピートラインを施した裏デザイン面  （Ｂ）は（Ａ）を透明容器に貼付けた正面図（実施例１）
【図２】（Ｃ）は表示シートに、円弧のリピートラインを施した裏デザイン面  （Ｄ）は（Ｃ）を透明容器に貼付けた正面図（実施例２）
【図３】透明表示シートの一部切欠した斜視図
【図４】（Ｅ）は表面から見た透明表示シートの平面図（表面）  （Ｆ）は裏面から見た透明表示シートの平面図（裏面）
【図５】（Ｇ）は透明表示シートに円弧のリピートラインを施した裏デザイン面  （Ｈ）は（Ｇ）を透明容器に巻付けた正面図（実施例３）
【符号の説明】
【００１５】（Ａ）    直線のリピートラインを施した表示ラベルの裏デザイン面
（Ｂ）    （Ａ）を巻付けた円筒形透明容器の正面図
（Ｃ）    円弧のリピートラインを施した表示ラベルの裏デザイン面
（Ｄ）    （Ｃ）を巻付けた円筒形透明容器の正面図
（Ｅ）    透明表示シート表面
（Ｆ）    透明表示シート裏面（直線のリピートラインを印刷したもの）
（Ｇ）    透明表示シート裏面（円弧のリピートラインを印刷したもの）
（Ｈ）    （Ｇ）を巻付けた円筒形透明容器の正面図
１−ａ    直線のリピートライン（細い斜線）
１−ｂ    １−ａを円筒形透明容器に巻付けた時の、直線の変化（線は太く、且つ容器の左右周辺部は、彎曲変化して見える）
２−ａ    円弧のリピートライン（細い円弧の線）
２−ｂ    円筒形透明容器に装着した時の、２−ａの円弧の変化（線は太く、同心円状に変化して見える）
３        円筒形透明容器
４        キャップ
５        透明な液体
６−ａ    透明表示シートの第３層（表面）
６−ａ１  透明表示シートの第３層の内の無積層印刷部分（印刷の余白は透明）
６−ａ２  透明表示シートの第３層の内の積層印刷部分（不透明）
６−ａ３  裏から見た上記６−ａ１（文字等が逆に見える）
６−ｂ    透明表示シートの第２層（白色等、ベース色）
６−ｃ    透明表示シートの第１層（リピートライン層）
６−ｄ    プリント用帯状透明フィルムシート
６−ｅ    円筒形透明容器に、（Ｇ）を巻付けた透明表示シートの無積層印刷部分（文字等以外は透明で、そこから裏デザイン面２−ｂが見える）
【図１】
2005266730.tif 000003
【図２】
2005266730.tif 000004
【図３】
2005266730.tif 000005
【図４】
2005266730.tif 000006
【図５】
2005266730.tif 000007